(57)【要約】【課題】重くて運搬が困難であり、組立調整に技術と費用、時間を要するスレート製のビリヤード台の天板を軽量化し、軽量化にともなう不快な衝撃音の発生を抑制する。【解決手段】アルミニウムなどの軽合金製のハニカムコア２の上下面にアルミニウム製の表面板１ａと裏面板１ｂが接着固定されたハニカムコアパネルを基体とし、表面板１ａの上に厚さ２ｍｍの合成ゴム製の緩衝材３が設けてあり、更に緩衝材３に密着させてアルミニウム製の表面板４が固定されているビリヤード台天板であり、スレート製の天板と同等の剛性を有している。軽量で高剛性なので運搬・組立が容易であり、短時間で組立て調整が可能である。ボールがクッションに衝突して跳ね返るときに天板１に衝突しても衝撃が緩衝材３によって吸収され、衝撃音がハニカムコア２の空洞で共鳴して不快な音を出すことがない。【選択図】図１
2019030496.tif 000002
【特許請求の範囲】
【請求項１】
軽金属製ハニカムコアパネルの上面板の上に緩衝材を介して厚さ３ｍｍ以上の軽金属製の表面板が密着固定されているビリヤード台天板。
【請求項２】
請求項１において、軽金属はアルミニウム、アルミニウム合金、チタン、ジュラルミンのいずれかであり、緩衝材はゴムシート、フェルトにアスファルトを含浸させた防音・防振材またはシリコーン基材に微小中空球体を分散させた緩衝材のいずれか、または、それらを複層に組み合わせたものであるビリヤード台天板。
【請求項３】
請求項１〜２のいずれかのビリヤード台天板を装備したビリヤード台。
【発明の詳細な説明】
【技術分野】
【０００１】
本発明は、従来、大きな重量のスレート板で構成されていたビリヤード台天板を軽量化し、運搬、収納に便利なビリヤード台天板に関する。
【背景技術】
【０００２】
ビリヤード台天板は、台表面に高精度の平坦性が要求されることから一般にスレート板（石）が使用されている。スレートは比重が２．７とかなり重量が大きなものであり、更に平坦性を確保するため十分な厚みを必要とするものであるのでビリヤード台全体重量は、フレームを含めると一台当たり３５０ｋｇ〜６００ｋｇと相当な重量となり、運搬したり移動したりするのは容易なものでなかった。
【０００３】
スレートは、脆弱な材料であり、ビリヤード台全体を一枚のスレートで構成した場合、板全体に均一に力がかかるように持ち上げることは可能であるが、力が偏った状態で持ち上げると、それだけで割れてしまうことがあるので、スレート板の破損を防止するため、単一のスレートでビリヤード台全体を構成させることはせずに一枚が９０ｋｇ程度のものに分割し、これらを継ぎ合わせてビリヤード台を構成している。
【０００４】
複数のスレート板を継ぎ合わせているので組立作業においては、各スレート板をフレームに載せて継ぎ合わせをおこなうが、継目に段差が生じないようにするため、クサビを使用して高さを調整し、継目をパテで埋めて平坦にしており、分割したスレート板の組立調整には熟練した作業員を必要とし、時間と費用がかかるものである。
【０００５】
以上のように、ビリヤード台の組み立てには繊細さが要求されることから、一旦組み立てたビリヤード台を移動させると、微妙な狂いが生じてビリヤード台の平坦性が失われたり、継目に段差が生じたりするので再調整が必要となるため、調整が完了したビリヤード台を移動させることは殆ど不可能といってよいものである。
このようなことから、ビリヤードゲーム大会や講習会などを短期間開催しようとすると、ビリヤード台の運搬・設置、組立て調整に費用と時間がかかるので簡単に実施することができなかった。そのため、ビリヤード台の設置場所は、専用の空間が必要となるので多数の人が異なる目的で利用する多目的空間であるホールや体育館などにビリヤード台を短期間設置したり、使用時だけ収納場所から取り出して調整してプレーするということはほぼ不可能であった。
ビリヤード台を短期間利用し、利用後は分解撤去するにあたり、組立・設置・調整をする熟練技術者を必要とせずに短時間でビリヤード台を組立設置することができるようになれば、多くの人にビリヤードを気軽に楽しんでもらうことができるのであるが、前記の事情によって困難なものとなっていた。
【先行技術文献】
【特許文献】
【０００６】
【特許文献１】米国特許第５８３００７２号明細書
【発明の開示】
【発明が解決しようとする課題】
【０００７】
スレートを使用したビリヤード台は、小型であっても３００ｋｇを超えるものであり、運搬が容易でなく、また、組立調整に熟練技術者を必要とするので費用と時間を要するものである。大重量のスレート製のビリヤード台に代わり、軽量化を図ったビリヤード台が提案されているが、ビリヤード台の平坦性が十分でなく、時間の経過とともに狂いが生ずるなどの欠点があり、軽量であって高強度、高剛性のビリヤード台は実現されていない。
軽量、高強度、高剛性の部材としてアルミニウムハニカムコアパネルが知られている。アルミニウムハニカムコアパネルは、航空機の構造材として開発されたものであり、アルミニウム等の軽金属の薄板の六角形コアを上下のパネルで挟んだものである。アルミニウムハニカムコアパネルは軽量であって高強度、高剛性である特性により、高層ビルを中心に建築材として使用されてきている。
この軽量、高強度、高剛性を兼ね備えたアルミニウムハニカムコアパネルをビリヤード台天板としてスレートに代えて使用すると以下の不都合な点があることが判明した。
【０００８】
ビリヤードは、ボールをキューで撞いて転がし、天板の周囲に設けた壁、すなわち反発力を有するクッションレールにボールを衝突させ、その反発力によってボールを逆方向に跳ね返して種々のゲームをおこなうものであり、単純にスレートの代用品としてアルミニウムハニカムコアパネルをビリヤード台の天板として使用すると、ボールがクッションレールに当たって戻るときにスレートの天板では出ることのない太鼓を叩いたときのような大きな打撃音が発生し、ビリヤード場の雰囲気を壊すものとなる。当初、この打撃音発生のメカニズムが不明であって対応策がとれなかったが、種々実験を繰り返し、ボールがクッションレールで跳ね返されるときにクッションレールによる反発力が下向きに作用してボールが天板に叩きつけられることになり、この時のボールの天板への衝突音がハニカムコアの中空部で共鳴することによって大音響が発生するものと推定された。
本発明の課題は、ビリヤード台天板をハニカムコアパネルの利用によって軽量化すると共にビリヤード台に要求される性能、すなわち、プロフェッショナルのビリヤードプレーヤの高度な技術を従来のスレートの天板と同様に発揮することができ、ボールがクッションレールで跳ね返るときの大音響を解消したビリヤード台天板を提供することである。
【課題を解決するための手段】
【０００９】
軽金属製ハニカムコアの表裏両面に軽金属製の上面板と下面板が固定されたハニカムコアパネルの上面板の上に、緩衝材を介して軽金属製の表面板が密着固定されているビリヤード台天板である。
軽金属はアルミニウム、アルミニウム合金、チタン、ジュラルミンのいずれかであり、緩衝材は、ゴムシート、フェルトにアスファルトを含浸させた防音・吸音材、または、シリコーンゲル基材中に直径５μｍ〜３５０μｍの中空球体が分散されている緩衝材のいずれか、または、それらを複層に組み合わせたものである。
また、軽金属製の表面板は、厚さが３ｍｍ以上であるビリヤード台天板である。
【発明の効果】
【００１０】
本発明のビリヤード台天板は、軽合金製のハニカムコアパネルとその上面板にゴムシート等からなる緩衝材を介在させて軽金属製の表面板が積層固定されているので、軽量、高強度、高剛性であるので、スレートに比較してビリヤード台天板の重量を三分の一まで軽量化することができ、運搬及び組立が容易であり、熟練技術者でなくとも容易に組立が可能となった。
また、ハニカムコアパネルの上にゴムシート等の緩衝材を介在させて軽合金製の表面板を固定してあるので、クッションレールで跳ね返ったボールが表面板に当たるときの衝撃が吸収されるので衝撃音の発生が抑止され、ハニカムコアの空間による共鳴がおこらず、大きな打撃音の発生が防止される。
そして、天板が高強度・高剛性であることから、スレート天板と変わらない、静かなボールの転がりと、クッションレールからの跳ね返り時の天板における衝撃音が無く、高度な技術であるジャンプショットやマッセなどのショットも可能となり、全てのビリヤードゲームに対応することができるようになり、スレート板のビリヤード台と変わらない感覚でプレーすることができるようになった。
また、天板を大幅に軽量化することができたことから、天板を支えるフレームの強度をスレートの天板のビリヤード台より下げることができるので天板以外の部品も軽量化することができ、且つビリヤード台の構造を簡素化できるので、製造コストを低減でき、組立設置のための職人技を必用とせず、天板を支持するビリヤード台の四隅の脚における天板の支持高さを調整するだけでビリヤード台の水平を調整することができ、簡単に組立設置が可能となった。
【図面の簡単な説明】
【００１１】
【図１】本発明のビリヤード台天板の断面図。
【図２】本発明のビリヤード台天板の一部破断した斜視図。
【発明を実施するための形態】
【００１２】
図１は本発明のビリヤード台天板１の断面図であり、アルミニウム製のハニカムコア２の上下に厚さ３ｍｍのアルミニウムもしくはジュラルミンの板１ａ、１ｂが接着によって固定されているアルミニウムコアパネル１の上板１ａの表面に厚さ２ｍｍのゴムシート３を密着させて接着してある。更に、ゴムシート３の上に厚さ３ｍｍのアルミニウム板の表面板４を接着固定してビリヤード台の天板１としたものである。
【００１３】
アルミニウムコアパネル１の上下板１ａ、１ｂの厚さは３ｍｍ以上として十分な剛性が得られるようにしてある。また、表面板４は、その表面にクロスを張ってビリヤード台として使用されるが、ボールが落下して衝撃を与えることもあるので、少なくとも３ｍｍの厚さが必要である。
【００１４】
ゴムシート３は、合成ゴムでも天然ゴムでもよいが、厚さが２ｍｍ以下では、クッションレールの反発力によって表面板４に衝突して衝撃音を発生するので、衝撃音が起きないようにするには厚さを２ｍｍ以上とする。また、複数のゴムシートを重ね合わせて複層として所定の厚さとしたものでもよい。
ゴムシート３と同様に衝撃音の発生を抑制するものとしてシリコーン基材に微小中空球体を分散させた緩衝材を用いても同様の効果が得られる。
【符号の説明】
【００１５】
１      ビリヤード台天板
１Ａ    ハニカムコアパネル
１ａ    ハニカムコアパネルの上面板
１ｂ    ハニカムコアパネルの下面板
２      ハニカムコア
３      緩衝材
４      表面板
【図１】
2019030496.tif 000003
【図２】
2019030496.tif 000004
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
軽金属製ハニカムコアパネルの上面板の上に厚さ２ｍｍ以上の緩衝材を介して厚さ３ｍｍ以上の軽金属製の表面板が密着固定されているビリヤード台天板。
【請求項２】
請求項１において、軽金属はアルミニウム、アルミニウム合金、チタン、ジュラルミンのいずれかであり、緩衝材はゴムシート、フェルトにアスファルトを含浸させた防音・防振材またはシリコーン基材に微小中空球体を分散させた緩衝材のいずれか、または、それらを複層に組み合わせたものであるビリヤード台天板。
【請求項３】
請求項１〜２のいずれかのビリヤード台天板を装備したビリヤード台。